(57)【要約】本発明は、筋肉および他の組織の強度と柔軟性を増進するための訓練装置（１０）に関するもので、ほぼ平らで水平な下に重なる面に対して係合するほぼ垂直に配置された第１スタンド（１１）と、ほぼ平らで水平な下に重なる面に対して係合するために第１スタンド（１１）と平行に配置された第２スタンド（１２）とを有し、第１および第２スタンド（１１、１２）は、使用者によって握持できる細長部材を有し、該細長部材は、ほぼ水平に配置されて下に重なる面に向って突出する少なくとも１つの部材に連結されている。握持できる彎曲部（１７）は、スタンド（１１、１２）から上方に突出している。彎曲部（１７）は、第１スタンド（１１）からほぼ垂直に突出する第１部分（１８）と、第２スタンド（１２）からほぼ垂直に突出する第２部分（２０）と、第１部分（１８）および第２部分（２０）を連結する連結部分（１９）とを有している。
2005526559.tif 000002
【特許請求の範囲】
【請求項１】
ほぼ平らで水平な下に重なる面に対して係合するほぼ垂直に配置された第１スタンド（１１）と、第１スタンド（１１）と平行に配置された、ほぼ平らで水平な下に重なる面に対して係合するための第２スタンド（１２）とを有する、筋肉および他の組織の強度と柔軟性を増進するための訓練装置（１０）において、
前記第１および第２スタンド（１１、１２）は、使用者によって握持できる細長部材を有し、該細長部材は、ほぼ水平に配置されていて下に重なる面に向って突出する少なくとも１つの部材に連結されており、
前記スタンド（１１、１２）から上方に突出している握持できる彎曲部（１７）を有し、該彎曲部（１７）は、前記第１スタンド（１１）からほぼ垂直に突出する第１部分（１８）と、前記第２スタンド（１２）からほぼ垂直に突出する第２部分（２０）と、前記第１部分（１８）と第２部分（２０）を連結する連結部分（１９）とを有することを特徴とする訓練装置（１０）。
【請求項２】
前記彎曲部（１７）は、角度（ａ）をもって配置されていて、前記彎曲部（１７）が訓練装置（１０）の中心に向って傾斜されていることを特徴とする請求項１に記載の訓練装置。
【請求項３】
前記彎曲部（１７）は、前記スタンド（１１、１２）に連結されていて、かつ変位可能であり、前記彎曲部（１７）の高さ（Ｙ）が調整できることを特徴とする請求項１に記載の訓練装置。
【請求項４】
前記スタンド（１１、１２）は、適宜な形状に設けられたパイプから形成されており、前記彎曲部（１７）が前記スタンド（１１、１２）内に変位可能であることを特徴とする請求項１に記載の訓練装置。
【請求項５】
前記スタンド（１１、１２）は、不等辺四辺形として形成されていることを特徴とする請求項１に記載の訓練装置。
【請求項６】
前記スタンド（１１、１２）は、握持でき、かつほぼ水平に配置された第１細長部材（１３）と、該第１細長部材（１３）から垂直に突出する第２細長部材（１４）と、前記第１細長部材（１３）から垂直に突出する第３細長部材（１５）とを有することを特徴とする請求項１に記載の訓練装置。
【請求項７】
前記スタンド（１１、１２）は、下に重なる面に対して係合するための、前記第２細長部材（１４）と第３細長部材（１５）とに連結された水平な第４細長部材（１６）を有することを特徴とする請求項６に記載の訓練装置。
【請求項８】
訓練装置（１０）は、前記スタンド（１１、１２）間に配置され、かつ使用者のための下に重なる面を形成する台板（２４）を有することを特徴とする請求項１に記載の訓練装置。
【請求項９】
前記スタンド（１１、１２）は、訓練装置（１０）を安定させるように前記台板（２４）を介して互いに連結されていることを特徴とする請求項８に記載の訓練装置。
【請求項１０】
訓練装置（１０）は、前記スタンド（１１、１２）間に配置された取外し可能な支持部（２５）を有することを特徴とする請求項１記載の訓練装置。
【請求項１１】
前記支持部（２５）は、ベルト（２７、２８）を介して前記スタンド（１１、１２）に取外し可能に、かつ調節可能に連結されたクッション部（２６）を有することを特徴とする請求項１０記載の訓練装置。
【請求項１２】
訓練装置（１０）は、前記スタンド（１１、１２）間に配置されて足置き部を形成する横バー（２３）を有することを特徴とする請求項１記載の訓練装置。
【発明の詳細な説明】
【技術分野】
【０００１】
本発明は、訓練装置に関するものである。特に、本発明は、筋肉や他の組織の強度および柔軟性を増進するような身体運動のための訓練装置に関するものである。この形式の訓練装置は、家庭環境と同様に、訓練センターおよび健康センターにおける身体運動のために一般的に使用される。
【背景技術】
【０００２】
身体運動のための多数の異なった形式の訓練装置が、従来技術において存在する。訓練のためのこのような形式の訓練装置の１つは、例えば、紐部材や類似物を介して抵抗発生手段に構造部分が連結された筋肉を増進するための構成を有している。このような抵抗発生手段は、紐部材を介して持ち上げでき、使用者が筋力によって装置を作動する時に抵抗を形成する錘を一般的に有している。この形式の装置の多数の異なった実施例が従来技術において存在しており、異なったグループの筋肉を強化することができる。
【０００３】
この形式の従来技術の装置の１つの欠点は、筋肉を増進するために必要な抵抗を設けるように錘または類似の抵抗発生手段が必要とされることである。これは、訓練する時に、損傷のための大きなリスクと、低実効価格構造とを導く複数個の可動部を有する重くて厄介な装置の原因をなしている。
【０００４】
この形式の装置の１つの問題は、このような装置の複数個の異なった実施例が異なったグループの筋肉を鍛錬するために必要とされることである。また、これは、例えば、家庭環境または勤務場所において使用するために適していない低実効価格構造に起因している。
【０００５】
このような従来技術の訓練装置におけるさらに１つの問題は、これら訓練装置が、損傷の大きなリスクに起因するようになる重い負荷に基く、さらに激しい形式の訓練にしばしば起因することである。この激しい形式の訓練装置は、さらに変化した形式の訓練を必要とする人には、また適していない。
【０００６】
抵抗を設けるように使用者自身の体重によって訓練するための装置が、従来技術においてまた存在している。このような形式の１つの装置は、一般的に腹筋と呼ばれる下部後方筋肉を訓練するための周知の構造である。簡単な形式のこのような装置は、平行に配置されていて下に重なる面から垂直に突出する２つのスタンドを一般的に有している。スタンドは、構造を支持するために下に重なる面に向って突出する少なくとも１つの手段に連結された水平なバーを有している。スタンドは、下に重なる面に固着できるし、また、バーによって互いに連結することもできる。１つのベルトが、使用者の前臀部に対向して係合するためにスタンド間に配置されており、１つのベルトが、使用者の脚の背後に対して係合するためにスタンド間に設けられており、使用者の身体下部が構造内に水平に固着できるし、下部背後筋肉を鍛錬するように身体上部が垂直な位置から水平な位置に動かすことができる。
【０００７】
この形式の従来装置における１つの欠点は、総合的で変化した訓練に対する可能性が欠如していることである。これは、例えば、家庭環境または勤務場所において使用するために適していない構造に起因している。
【０００８】
この形式の従来装置における１つの問題は、老人や若者および無力な人のような、減少した、または低下した身体的な能力を有した人が、強さと柔軟性を増進するために、装置をほとんど使用できないことである。
【発明の開示】
【課題を解決するための手段】
【０００９】
本発明の目的は、従来技術の上述した欠点および問題を解消することである。本発明に従った訓練装置は、異なった身体的な能力を有する人のためにやさしい総合的な訓練を可能にするように、個々の必要性に適合できる多数の異なった運動を実施することができる。さらに、本発明は、総合的な訓練を行うように多数の異なった装置のための必要性を排除している。また、本発明は、軽量で、家庭環境と同様に、勤務場所、訓練センター、健康センターにおいて使用するために適した訓練装置を提供するものである。
【００１０】
本発明の１つの付随的な目的は、強さと柔軟性の増進に加えて、緊張する訓練に良好に適合した訓練装置を提供することにある。これは、健康管理の目的乃至は増大した福祉のために筋肉および他の組織の伸張を許すであろう。
【００１１】
本発明は、第１スタンドと、この第１スタンドと平行に配置された第２スタンドとを有する訓練装置を有する。スタンドは、ほぼ垂直に配置され、細長部材の形の握持部を有することができる。スタンドは、丸くなったコーナー部を有するように可能な矩形状に形成することができる。例えば、スタンドは、適宜な形状に彎曲されたパイプまたは類似物によって造ることができる。
【００１２】
さらに、訓練装置は、握持できて、スタンドから上方に突出している彎曲部を有している。彎曲部は、スタンドに連結されているので、この手段による使用者は、異なった形式の訓練運動を実行できる。彎曲部は、下に重なる面に対して適宜な角度に配置でき、これによって、彎曲部は、訓練装置の中心に向って傾斜されている。彎曲部は、垂直方向に変位可能にできるので、彎曲部の高さが、個々の使用者の必要に適合するようにできる。例えば、彎曲部は、適宜な高さでの彎曲部の取外し可能な固着のための固着手段を有することができるスタンド内に受容するように配置される。例えば、彎曲部は、適宜な形状に彎曲されたパイプからまた造られる。
【００１３】
また、訓練装置は、スタンドを連結して安定化すると同時に足置き部を形成するように、スタンドの下部の間に水平に配置された横バーを有することができる。さらに、横バーは、下に重なる面から間隔を置いて配置でき、使用者が、支持のために横バーの下に使用者の足を置くことができる。
【００１４】
台板は、スタンドを互いに連結して、従って、訓練装置を安定させるように、スタンドの間に配置できる。さらに、台板は、訓練装置において異なった訓練を行う時に、使用者のための足置き部を設けることができる。台板は、例えば起立を行う時に、容易にするように、軟らかなカーペットを設けることができる。
【００１５】
スタンド、彎曲部、横バーおよび台板は、アルミニウムや、対応する特性を有する他の金属のような高強度で軽量な適宜な材料で形成することができる。代わりとして、適宜なプラスチック材料が使用できる。
【００１６】
さらに、訓練装置は、異なった訓練運動を行う時に使用するように使用者のためにスタンド間に設けられた支持部を有するようにできる。支持部は、２つのベルト間に設けられたクッション部を有することができ、使用者が座わり、あるいは支持のために他の具合に使用するようにできる。
【００１７】
本発明の他の特徴と利点は、実施例の説明、添付図面および独立した請求の範囲から明白である。
【００１８】
本発明は、実施例および添付図面によって以下に詳細に説明されよう。
【発明を実施するための最良の形態】
【００１９】
（実施例）
図１および図２を参照するに、本発明の一実施例に従った、筋肉および他の組織の強度と柔軟性を総合的に増進し、かつ緊張するための訓練装置１０が示されている。訓練装置１０は、下に重なる面に対して係合するための、ほぼ垂直に配置された第１スタンド１１と、第１スタンド１１と平行に配置された、下に重なる面に係合するための第２スタンド１２とを有している。図１を、特に参照するに、スタンド１１、１２は、互いに間隔Ｘを置いて配置されて、使用者のための空所を形成しており、使用者が訓練する時に、スタンド１１、１２間に位置することができる。例えば、間隔Ｘは、車椅子や類似物に拘束された人が、スタンド１１、１２間の空所内に入ることができるように設計されている。本発明の一実施例によれば、間隔Ｘは、０.５ｍおよび１.２ｍの間である。例えば、間隔Ｘは、約０.６〜０.９ｍである。あるいはまた、間隔Ｘは、約０.７ｍである。
【００２０】
スタンド１１、１２は、ほぼ水平に配置された細長部材を有しており、この細長部材が、使用者によって握持できて、下に重なる面に向って突出する少なくとも１つの部材に連結されている。例えば、スタンド１１、１２は、使用者によって握持できて、ほぼ水平に配置された第１細長部材１３と、第１細長部材１３から垂直に突出する第２細長部材１４と、第１細長部材１３から垂直に突出する第３細長部材１５とを有している。図示される実施例に従えば、第２細長部材１４と第３細長部材１５は、下に重なる面に対して係合するためのほぼ水平な第４細長部材１６にさらに連結されており、これら一組の細長部材１３〜１６は、１つのスタンド１１、１２を形成している。従って、第２細長部材１４と第３細長部材１５は、第１細長部材１３を支持している。細長部材１３〜１６は、例えば、それらの端部によって互いに連結されている。例えば、スタンド１１、１２は、約１ｍの高さに設計されており、第１細長部材１３と第４細長部材１６、または下に重なる面との間の間隔が、約１ｍである。本発明の一実施例に従えば、スタンド１１、１２の高さは、約０.９ｍである。例えば、第４細長部材１６は、約１.２ｍの長さに設計されており、訓練装置１０の長さは、約１.２ｍである。
【００２１】
図１の実施例に従えば、第２細長部材１４と第３細長部材１５は、互いに向かい合って傾斜しており、第３細長部材１５は、図面に示されていない水平面、または水平な第４細長部材１６に向って角度ａで配置されている。従って、第１細長部材１３は、第４細長部材１６よりも短い長さに設計されており、スタンド１１、１２が、不等辺四辺形として一般的に形成されている。例えば、角度ａは、５０゜および８５゜の間であり、６０゜および８０゜の間が好適である。代わりとして、角度ａは、６５゜および７５゜の間である。本発明の一実施例に従えば、角度ａは、７０゜である。
【００２２】
本発明の一実施例に従えば、スタンド１１、１２、または細長部材１３〜１６は、金属、プラスチック材料または他の適宜な材料のような高強度で軽量な材料で造られる。例えば、スタンド１１、１２、または細長部材１３〜１６は、アルミニウムで造られる。例えば、スタンド１１、１２、または細長部材１３〜１６は、適宜な形状に彎曲されるパイプまたは類似物で造られる。従って、本発明の一実施例に従えば、細長部材１３〜１６は、単一のパイプの異なった部分である。
【００２３】
訓練装置１０は、使用者によって握持できる彎曲部１７をさらに有している。彎曲部１７は、スタンド１１、１２からほぼ垂直に突出しており、従って、彎曲部１７は、スタンド１１、１２から上方の方向に突出している。彎曲部１７は、水平面に対して角度をもって配置されており、従って、彎曲部１７は、訓練装置１０の中心に向かう方向に傾斜している。彎曲部１７は、スタンド１１、１２に対して変位可能に、および／または取外し可能に連結されているので、彎曲部１７の高さＹ（図１参照）は、個々の人、すなわち使用者に適合できる。従って、スタンド１１、１２は、彎曲部１７に対して変位可能、および／または取外し可能に連結されている。例えば、彎曲部１７は、変位可能であるので、連結部分１９の水平面と下に重なる面との間の高さＹは、約１ｍと２.５ｍの間に調節できる。代わりに、彎曲部は、約２ｍの高さに変位可能である。
【００２４】
図１に関して、彎曲部１７は、ほぼ垂直に突出する第１部分１８と、水平な連結部分１９と、ほぼ垂直に突出する第２部分２０とを有しており、彎曲部１７の第１部分１８と第２部分２０とを介して、彎曲部１７がスタンド１１、１２に変位可能に連結されている。彎曲部１７の第１部分１８は、第１スタンド１１の第３細長部材１５に連結されており、彎曲部１７の第２部分２０は、第２スタンド１２の第３細長部材１５に連結されているので、彎曲部１７は、スタンド１１、１２の第３細長部材１５の延長部分である。従って、彎曲部１７は、スタンド１１、１２の第３細長部材１５と同一の角度ａで上方に突出している。
【００２５】
例えば、彎曲部１７は、金属、プラスチック材料または他の適宜な材料のような、高強度で軽量な材料で造られている。例えば、彎曲部１７は、アルミニウムで造られている。例えば、彎曲部１７は、適宜な形状に彎曲されるパイプまたは類似物によって造られている。従って、本発明の一実施例に従えば、彎曲部１７の第１部分１８と第２部分２０は、単一のパイプの異なった部分である。
【００２６】
本発明の一実施例に従えば、彎曲部１７の第１部分１８と第２部分２０は、第１スタンド１１の第３細長部材１５と、第２スタンド１２の第３細長部材１５との中にそれぞれ導入されるように設計されている。例えば、彎曲部１７の第１部分１８と第２部分２０とは、スタンド１１、１２の第３細長部材１５よりも小直径で設計されており、従って、彎曲部１７は、垂直方向に調節可能である。図示される実施例において、彎曲部１７は、通常の固着手段２１によってスタンド１１、１２に連結できるので、彎曲部１７は、適宜な高さに固着できる。図示の実施例において、スタンド１１、１２の第３細長部材１５は、固着手段２１が設けられた上方突出部分２２を有する。
【００２７】
訓練装置１０は、スタンド１１、１２間に設けられた横バー２３をさらに有している。横バー２３は、第１スタンド１１の下方部分と第２スタンド１２の下方部分との間にほぼ水平に設けられている。好適には、横バー２３は、第１スタンド１１の第３細長部材１５の下方部分と第２スタンド１２の第３細長部材１５の下方部分との間にほぼ水平に配置されていて、横バー２３と下に重なる面との間に空所を形成しており、これによって、使用者は、足を横バー２３の下に置くことができる。例えば、横バー２３は、溶接接合、ねじまたは類似物のような通常の手段で第１スタンド１１と第２スタンド１２とに連結される。例えば、横バー２３は、金属、プラスチック材料または他の適宜な材料のような高強度で軽量な材料のパイプから造られる。例えば、横バー２３は、アルミニウムで造られる。
【００２８】
図示の実施例に従えば、訓練装置１０は、ほぼ平らで、かつ水平に配置された台板２４を有している。台板２４は、訓練装置１０において、使用者が異なった形式の訓練運動を行うための、適宜な下板を形成するように設計されている。例えば、台板２４は、車椅子に載った使用者が台板の上を移動できるように設計されている。台板２４は、スタンド１１、１２の下方部分の間に配置されており、第１スタンド１１から第２スタンド１２に台板２４が延びている。従って、台板２４の幅は、スタンド１１、１２間の間隔、すなわち図１の間隔Ｘにほぼ対応している。さらに、台板２４は、スタンド１１、１２の長さに沿って延びている。台板２４は、スタンド１１、１２の第４細長部材１６間に設けられており、これにより、台板２４は、第１スタンド１１の第４細長部材１６から第２スタンド１２の第４細長部材１６に延びている。例えば、台板２４は、スタンド１１、１２の第４細長部材１６に対して当接しており、かつスタンド１１、１２の第４細長部材１６の長手方向に配置されている。台板２４は、スタンド１１、１２の第４細長部材１６の一端から他端に大体延びている。台板２４は、ねじや類似物のような通常の手段によってスタンド１１、１２に固着されている。例えば、スタンド１１、１２の第４細長部材１６は、図面には示されていないねじのための孔を有する水平に突出する板を有しており、台板２４が、水平に突出する板に対して当接して、ねじによって板に固着するようにできる。
【００２９】
本発明の一実施例に従えば、台板２４は、使用者のための軟らかな下板を得るようにカーペットが設けられている。従って、台板２４は、構造を安定化し、使用者のための下板を形成するように設計されている。例えば、台板２４は、２つのアルミニウム板と、これらアルミニウム板間に設けられた多孔性構造とを有しており、軽量の安定な台板２４が設けられている。さらに、カーペットは、例えば、ベルクロ（Ｖｅｌｃｒｏ）（商品名）または同様な手段によって、台板２４に固着されている。例えば、カーペットは、織物材料から造られる。
【００３０】
図２を特に参照するに、訓練装置１０は、第１スタンド１１と第２スタンド１２の間に配置された取外し可能で、かつ変位可能な支持部２５をさらに有しており、必要な時に、支持部２５の上に使用者が座ったり、あるいは身体の一部を寄り掛けることができる。他の訓練運動を行う時に、もし必要ならば、支持部２５を取外して、スタンド１１、１２間に空所を設けることができる。支持部２５は、スタンド１１、１２の上方部分の間に変位可能に設けられている。支持部２５は、スタンド１１、１２の第１細長部材１３の間に変位可能に設けられており、支持部２５が水平方向に変位可能になっている。例えば、支持部２５は、所要される時に、使用者に対して当接するためのクッション部２６を有している。クッション部２６は、通常の手段で、第１ベルト２７と第２ベルト２８に取外し可能に、かつ調節可能に連結されており、そして、クッション部２６は、ベルト２７、２８を緊張し、または緩めることによって垂直方向に調節できる。クッション部２６は、第１ベルト２７によって第１スタンド１１に、第２ベルト２８によって第２スタンド１２に連結されている。
【００３１】
図１に関して、本発明の一実施例に従った訓練装置１０は、下に重なる面の上に訓練装置１０を安定化して訓練装置１０の変位を防止するように、スタンド１１、１２の第４細長部材１６の端部に設けられたブロック２９を有している。従って、ブロック２９は、滑走防止装置としてまた形成されている。
【００３２】
本発明に従った訓練装置１０は、使用者自身の体重による異なったグループの筋肉の強度と柔軟性との増進のような多数の異なった訓練運動、および異なった形式の伸張運動を、使用者が行うことができることに従って起因している。例えば、使用者は、彎曲部材１７の水平部分を握り、使用者自身を上方に引っ張って、背中の上部と腕（二頭筋）の筋肉を鍛えることができる。彎曲部１７が傾いていることに基づいて、使用者は、彎曲部１７の第１部分１８と第２部分２０とを握ることによって、船漕ぎ運動を行うことができ、例えば背中の上部、肩および腕（二頭筋）の筋肉を鍛えるようにできる。負荷は、使用者の足の助けによって、変えることができる。
【００３３】
相応じて、彎曲部１７が傾斜していることに基づいて、使用者は、彎曲部１７の両側部分における押上げを行うことができ、胸部、前肩部、上腕部（二頭筋）の筋肉を鍛えることができる。さらに、彎曲部１７の水平部分を握って身体の下部を垂直位置から水平位置にもって来ることによって、使用者は下方腹部の筋肉を鍛えることができる。
【００３４】
さらに、彎曲部１７は、彎曲部１７の第１部分１８または第２部分２０を握り、身体を訓練装置１０から外方向に曲げることによって胸部および腕部のような異なった形式の伸長運動に良好に適している。彎曲部１７を握って身体を下方および後方にもって来ることによって、とりわけ、背中の上部と下部を伸長することができる。
【００３５】
訓練装置１０は、着座が台板２４の上で好適に行われることに基づいた上腹部筋肉を鍛えるための良好な可能性にまた起因している。着座は、使用者が脚を下に置くことができる横バー２３によって、さらに容易になる。容易な着座は、使用者が支持部２５の上に着座して横バー２３の下に足を置く時に、行うことができる。さらに、下部背筋または腰部の伸長は、使用者が支持部２５に対して前臀部を置き、横バー２３に対して踵部または同様な部分を置いて、身体の上部をほぼ垂直な位置から、または身体の上部が身体の下部に向かって角度をもって置かれる時の位置から水平位置に、あるいは身体の上部が身体の下部と整列する時の位置に曲げられる場合に行うことができる。
【００３６】
さらに、上腕部（二頭筋）は、上方からスタンド１１、１２の第１細長部材１３を握って、上腕部を垂直位置から水平位置に、そして再び背後にもって来ることで、行うことができる。負荷は、脚の助けによって変えることができる。相応じて、脚の筋肉は、垂直位置から水平位置に揺動することによって緩やかな具合に行うことができ、そして、腕部は、支持のために使用できる。
【００３７】
例えば、脚の後方側、股間および臀部は、脚を支持部２５の上に置き、他の脚を支持のために使用して、下に重なる面の上に置かれるようにして通常の具合に伸長することができる。例えば、腿部の前側は、使用者が支持部２５に対して足首を置いて、他の脚が支持のために使われて、下に重なる面の上に従って置かれる時に伸長することができ、この場合に、使用者の身体の上部は、支持部２５に対して置かれる脚の踵部に向って押されるようになる。
【００３８】
従って、訓練装置１０は、複数の異なった具合に、多数の異なった身体部分のための訓練運動および伸長運動のために使用できるものであり、上述した実施例は、本発明によって可能な幾つかの訓練におけるだけのものである。
【図面の簡単な説明】
【００３９】
【図１】本発明の一実施例に従った訓練装置の前部から傾斜して示す概略斜視図である。
【図２】図１に従った訓練装置の後部からの斜視図である。
【図１】
2005526559.tif 000003
【図２】
2005526559.tif 000004
【国際調査報告】
2005526559.tif 000005
2005526559.tif 000006
2005526559.tif 000007